(57)【要約】      （修正有）【課題】洗濯、すすぎ工程の処理水に銀イオン水を用いて、上記の問題点を解決する業務用の連続式水洗機、及び殺菌・抗菌洗濯方法を提供すること。【解決手段】仕切板１７によって長手方向に複数の槽に区切られ、一端の槽に被洗物の投入ロ１５を、他端の槽に排出口１６を備え、一方向への回転によって各槽内の被洗物を次の隣の槽へ移送する移送手段を備えた回転する洗濯ドラム１１及びすすぎドラム１２と、洗濯水やすすぎ水を供給する水供給手段、及び排出する水排出手段とを備え、被洗物を投入口１５から排出口１６に順次移送しながら洗濯及びすすぎを行う連続式水洗機１０において、前記水供給手段に銀イオン水生成器３０を接続して、同銀イオン水生成器３０を通過した銀イオン水を洗濯ドラム１１及び/またはすすぎドラム１２へ供給すること。【選択図】図１
2007301258.tif 000002
【特許請求の範囲】
【請求項１】
仕切板によって長手方向に複数の槽に区切られ、一端の槽に被洗物の投入ロを、他端の槽に排出口を備え、一方向への回転によって各槽内の被洗物を次の隣の槽へ移送する移送手段を備えた回転する洗濯ドラム及びすすぎドラムと、洗濯水やすすぎ水を供給する水供給手段、及び排出する水排出手段とを備え、被洗物を投入口から排出口に順次移送しながら洗濯及びすすぎを行う連続式水洗機において、前記水供給手段に銀イオン水生成器を接続して、同銀イオン水生成器を通過した銀イオン水を洗濯ドラム及び/またはすすぎドラムへ供給することを特徴とする連続式水洗機。
【請求項２】
請求項１の連続式水洗機において、洗濯槽への水供給をリサイクルタンクからの洗濯水供給管経由としたことを特徴とする連続式水洗機。
【請求項３】
請求項１の連続式水洗機において、前記銀イオン水生成器と銀イオン水タンクとからなる銀イオン水供給装置を設け、同銀イオン水供給装置から銀イオン水を洗濯ドラム及び/またはすすぎドラムへ供給管を介して供給することを特徴とする連続式水洗機。
【請求項４】
請求項３の連続式水洗機において、前記銀イオン水タンクと銀イオン水生成器間を循環する循環配管を有することを特徴とする連続式水洗機。
【請求項５】
請求項３の連続式水洗機において、前記銀イオン水タンク内に銀イオン水生成器を浸漬するとともに、同タンク内を攪拌する攪拌機を有することを特徴とする連続式水洗機。
【請求項６】
請求項３の連続式水洗機において、銀イオン水生成器を配置した新水供給管を銀イオン水タンクに接続し、同銀イオン水生成器を低流量で新水を通過させて所定濃度の銀イオン水を生成して同銀イオン水タンク内に貯留可能としたことを特徴とする連続式水洗機。
【請求項７】
前記請求項１から請求項６の連続式水洗機を用いて行う連続式水洗方法であって、洗濯ドラム及び/またはすすぎドラムに銀イオン水を供給して被洗物および水洗機の殺菌または抗菌処理を行うことを特徴とする連続式水洗方法。
【発明の詳細な説明】
【技術分野】
【０００１】
本発明は、洗濯用媒体の水に銀イオン水を添加して、被洗物及び洗濯機の殺菌・抗菌処理を伴う洗濯を行う連続式水洗機、及びその連続式水洗機を用いて行う殺菌・抗菌洗濯方法に関する。
【背景技術】
【０００２】
銀イオンが人体には安全で、殺菌・抗菌効果を有することは古くから知られており、最近、銀イオン水生成器を備えていて、洗濯水に銀イオンを添加して、被洗物に銀イオンをコーティングすることで被洗物を抗菌処理する洗濯機が市場に現れている。このような銀イオン水生成器を備えた洗濯機の技術としては、たとえば下記特許文献の項に示したもの等が開陳されている。
一方、水を使って大量の被洗物を洗濯する業務用の洗濯機としては、複数の槽を有する
回転するドラムを用いる連続式水洗機が用いられており、被洗物の抗菌処理を行う場合には、仕上げ工程において洗濯水に抗菌剤を添加する方法が、又、被洗物の殺菌処理を行う場合には洗濯工程において洗濯水の温度を上げるか、或いは本洗濯工程及びすすぎ工程において塩素剤や過酢酸などの薬剤を用いており、銀イオンの添加による方法は未だ行われていない。
【０００３】
【特許文献１】特開２００４−２７５４２５号公報（段落番号０２４４）
【特許文献２】特開２００１−２７６４８４号公報（図２）
【発明の開示】
【発明が解決しようとする課題】
【０００４】
上述の回転ドラムを用いる業務用の連続式水洗機では、回転ドラムを回転軸の方向に仕切板で複数の槽に区切り、被洗物を一方の端から投入し、ドラムの回転によって順次隣の槽に移して最後に他方の端から排出し、この間に洗濯水、すすぎ水（以下両者を処理水と呼ぶ）、洗剤、助剤などを供給して洗濯するようになっていて、種々の構成のものがあるが、大別して、処理水が被洗物と共に同じ方向に次の隣の槽に移送される方式（以下バッチフロー式と呼ぶ）と、処理水が被洗物の移動方向に対して逆の方向に流れる方式（以下カウンターフロー式と呼ぶ）がある。これらの連続式洗濯機で被洗物の殺菌・抗菌処理を行う場合には、洗濯工程で処理水の温度を上げる熱殺菌、または、本洗濯工程及びすすぎ工程で処理水に抗菌剤や殺菌剤の薬剤を混ぜる薬剤殺菌が行われており、これらの方法では次の欠点がある。
【０００５】
１）熱による殺菌の問題点
処理水の温度を上げると、洗濯工程中に被洗物に色落ちや、材質の早期劣化が生じ、また処理水の温度上昇に伴いすすぎ水の水温が上昇する為、浸し水にすすぎ水を再利用する場合は、蛋白汚れが凝固して汚れが落ち難くなる。
２）殺菌剤による問題点
殺菌剤に塩素剤を用いた場合には、被洗物に色落ち、材質の早期劣化が生じ、汚れの種類によっては化学反応を起こして永久汚れとなり、また、装置や周辺の機器に腐食が生じる。
殺菌剤に過酢酸を用いた場合には、作業場に匂いが充満して作業場の環境が悪化したりする。またランニングコストが高価となる。
３）その他の問題点
加熱されない温度の低いタンクやすすぎ槽、仕上げ槽、排水ピットには雑菌が繁殖しやすくヘドロが蓄積し、不衛生である。  
本発明は、洗濯、すすぎ工程の処理水に銀イオン水を用いて、上記の問題点を解決する業務用の連続式水洗機、及び殺菌・抗菌洗濯方法を提供することを目的とする。
【課題を解決するための手段】
【０００６】
上記の課題に対し、本発明は以下の各手段により解決を図る。
（１）第１手段の連続式洗濯機は、仕切板によって長手方向に複数の槽に区切られ、一端の槽に被洗物の投入ロを、他端の槽に排出口を備え、一方向への回転によって各槽内の被洗物を次の隣の槽へ移送する移送手段を備えた回転する洗濯ドラム及びすすぎドラムと、洗濯水やすすぎ水を供給する水供給手段、及び排出する水排出手段とを備え、被洗物を投入口から排出口に順次移送しながら洗濯及びすすぎを行う連続式水洗機において、前記水供給手段に銀イオン水生成器を接続して、同銀イオン水生成器を通過した銀イオン水を洗濯ドラム及び/またはすすぎドラムへ供給することを特徴とする。
【０００７】
（２）第２の手段の連続式洗濯機は、上記第１の手段の連続式洗濯機において、洗濯槽への水供給をリサイクルタンクからの洗濯水供給管経由としたことを特徴とする。
（３）第３の手段の連続式洗濯機は、上記第１の手段の連続式洗濯機において、前記銀イオン水生成器と銀イオン水タンクとからなる銀イオン水供給装置を設け、同銀イオン水供給装置から銀イオン水を洗濯ドラム及び/またはすすぎドラムへ供給管を介して供給することを特徴とする。
【０００８】
（４）第４の手段の連続式洗濯機は、上記第３の手段の連続式洗濯機において、前記銀イオン水タンクと銀イオン水生成器間を循環する循環配管を有することを特徴とする。
（５）第５の手段の連続式洗濯機は、上記第３の手段の連続式洗濯機において、前記銀イオン水タンク内に銀イオン水生成器を浸漬するとともに、同タンク内を攪拌する攪拌機を有することを特徴とする。
【０００９】
（６）第６の手段の連続式洗濯機は、上記第３の手段の連続式洗濯機において、銀イオン水生成器を配置した新水供給管を銀イオン水タンクに接続し、同銀イオン水生成器を低流量で新水を通過させて所定濃度の銀イオン水を生成して同銀イオン水タンク内に貯留可能としたことを特徴とする。
（７）第７の手段の連続式洗濯機は、上記第１から第６の手段の連続式洗濯機を用いて行う連続式水洗方法であって、洗濯ドラム及び/またはすすぎドラムに銀イオン水を供給して被洗物および水洗機の殺菌または抗菌処理を行うことを特徴とする。
【発明の効果】
【００１０】
請求項１及び請求項７に係る発明は、上記第１手段と第７手段の連続式洗濯機であり、洗濯工程においては、被洗物は銀イオン水に浸漬されているので、殺菌処理を受けている状態にある。その為、銀イオン水を使用しない場合に比べて１０〜２０℃低い洗浄温度、あるいは半分の塩素剤で同等の殺菌効果を得ることができ、前述の問題点、即ち、熱や薬剤による、被洗物の色落ち、材質の早期劣化、汚れの化学的変化による洗濯性の低下、装置側の腐食の発生、薬剤臭による環境の悪化、などの防止が出来る。
【００１１】
すずき槽や仕上げ槽においては、被洗物に銀イオン水が添加されるので、被洗物に十分の銀イオンを残すことができる。その為、被洗物の銀イオンコーティングによる抗菌処理が可能となる。一般的な抗菌剤に比べて銀イオン水生成に必要なコストは低廉なので、ランニングコストを低減することが出来る。
【００１２】
銀イオン水を多く含む被洗物のすすぎ水や脱水機の絞り水には、少量の銀イオンが含まれる。これらが接触する部分は、常に殺菌、抗菌処理を受ける状態になる為、タンクやすすぎ槽、仕上げ槽等の加熱されない装置内外で雑菌によって生ずるヘドロの発生を防止することが出来る。
【００１３】
特に、バッチフロー式連続式水洗機では各槽の中の処理水が隣の槽と完全に隔離されている為、銀イオン水の供給濃度が異なる被洗物が隣り合う場合においても、銀イオン水を供給してから処理水を排出するまでの間は、銀イオン水の濃度が希釈されることなく、所定の濃度を維持することが可能となる。
【００１４】
請求項２に係る発明は、上記第２手段の連続式洗濯機であり、本洗槽への処理水供給において新水に代えてリサイクル水を使用することにより、節水効果がある。更には、各槽に配置する給排水弁等が少なくて済み、シンプルな構造となり少品種多量生産に適した連続式洗濯機を提供可能となる。
【００１５】
請求項３に係る発明は、上記第３手段の連続式洗濯機であり、銀イオン水の濃度管理がオンラインで実施可能となる為、被洗物の種類に応じたタイムリーな処理が可能となる。また、所定濃度の銀イオン水を予め生成し、貯留しておく為、銀イオン水の生成時間を連続式洗濯機の稼動状況に左右されずに長く取れるため、高価な銀イオン水生成器を小型化することができる。
更には、高濃度の銀イオン水を供給することが可能となる為、供給する水を削減する効果がある。
【００１６】
請求項４に係る発明は、上記第４手段の連続式洗濯機であり、上記第２と第３の夫々の効果を合わせて奏する効果を有する。
【００１７】
請求項５に係る発明は、上記第５手段の連続式洗濯機であり、銀イオン水生成器と攪拌機を銀イオン水タンク内に浸漬したことにより、銀イオン水生成時に析出した銀化合物が銀イオン水タンク内に沈殿することを防ぎ、安定した濃度の銀イオン水の供給が可能となる。
【００１８】
請求項６に係る発明は、上記第６手段の連続式洗濯機であり、銀イオン水生成器を少流量で通過させることにより、連続式洗濯機の稼動中においても、銀イオン水タンク内の濃度を変化させること無く、高濃度の銀イオン水の仕込み（貯留）を行うことができる。
【発明を実施するための最良の形態】
【００１９】
（第１の実施の形態）
本発明の第１の実施の形態を図１によって説明する。
図１は本発明を適用したバッチフロー式連続式水洗機１０の模式図である。
同図１において、１１は洗濯ドラム、１２はすすぎドラムで、それぞれ一体に形成された円筒状の回転ドラムで、図示省略の駆動モータで正逆方向に回転駆動される。洗濯ドラム１１は静止した外筒１３により、すすぎドラム１２は外筒１４により覆われている。
洗濯ドラム１１の入口側（図の左側）には被洗物の投入口１５が、また、すすぎドラム１２の出口側（図の右側）には、被洗物の排出口１６が設けられている。
洗濯ドラム１１及びすすぎドラム１２は円板状で流通孔を持たない仕切板１７によって複数の槽（図１では洗濯ドラム１１が５槽、すすぎドラム１２が３槽の場合を示す）に仕切られており、それぞれの槽の中の処理水は隣の槽には流れ込めないようになっている。図中（１）〜（８）は槽番号を示し、図１は、槽（１）を予洗槽（予備洗濯槽）、槽（２）〜（５）を本洗槽（本洗濯槽）、槽（６）〜（７）をすすぎ槽、槽（８）を仕上げ槽とした場合を示しており、槽の数及び槽の使い方は自由である。
【００２０】
各槽内には被洗物の移送手段が設けられていて、洗濯ドラム１１またはすすぎドラム１２を1回正回転させると被洗物及び処理水は次の隣の槽に移送されるようになっている。敷衍して述べると、槽（１）〜（４）、及び槽（６）〜（７）に設けられた移動手段は、各槽の円筒壁面内に垂設され、両側の仕切板１７の外周寄りを螺旋状に繋ぐ螺旋板と、仕切板１７の外周寄りに設けられ、螺旋板との交線を一辺とする通路孔とで成り、この螺旋板と通路孔が下側に回転したときに、被洗物及び処理水はこの通路孔を通って次の隣の槽に移送され、また槽（５）及び（８）の移動手段は、掬い板と滑り板で成るスクープと呼ばれるもので、被洗物はスクープで掬われて持上げられ、仕切板１７の中心部に設けられた通路孔を通って移送されるようになっている。
洗濯ドラム１１と外筒１３の間、及びすすぎドラム１２と外筒１４の間のスペースは、仕切板１７の位置に設けられたシールパッキン１８で槽と同じ巾で仕切られていて、処理水は隣の槽のスペースには出入できないようになっており、１９は槽（６）と槽（７）の外筒１４の下部を繋ぐ逆止弁付きの大径管で、処理水は槽（７）から槽（６）へのみ流れるようになっている。また、洗濯ドラム１１とすすぎドラム１２の外周壁は多数のパンチング孔又は、網を備えた処理水が通過できる通過壁となっていて、ドラム内の処理水は自由にドラム外の外筒に囲まれたスペースに出入りすることが出来るようになっている。
【００２１】
２０Ａ、２０Ｂは新水供給源と繋がる新水供給管、２１はリサイクルタンク（浸し水タンク）、２２はポンプ２７によってリサイクルタンク２１から投入口１５へ浸し水を供給する浸し水供給管、２３は図示省略の脱水機から回収した処理水を貯溜する回収タンク、２４は蒸気供給管、２５は開閉バルブを備えた処理水の排出管、２６は槽（６）、（８）に設けられた水位調整用のオーバーフロー管である。
また、３０は本洗槽（２）、及び仕上げ槽（８）に新水を供給する新水供給管２０に組込まれた銀イオン水生成器である。この銀イオン水生成器３０は、従来周知の技術に属するもので、水の入口と出口を備えた管路の中に互いに平行で対向して設けた銀の電極に直流電圧をかけて管路を通過する水に銀イオンを放出する。銀イオンの濃度は、電極に印加する電圧と中を通る水の流速によって調整される。
銀イオン水生成器３０は、給水配管に組み込まず、連続式水洗機に付属の給水タンクを介して銀イオン水を供給することも可能である。
【００２２】
上記構成のバッチフロー式連続式水洗機１０の作用を説明する。
被洗物が投入口１５に投入されると、ポンプ２７によってリサイクルタンク２１内に貯留された処理水が浸し水として浸し水供給管２２を経て加えられ、被洗物は浸し水と共に洗濯ドラム１１の予洗槽（予備洗濯槽）（１）に滑り込む。図示省略の洗浄剤供給装置から洗浄剤が投入され、洗濯ドラム１１は所定の角度内（１８０°〜２７０°）で正逆回転（以下揺動と呼ぶ）し、この間必要に応じて排出管２５を経て汚れた洗浄水を排出する一方、新水供給管２０から新水を加える。所定の時間、揺動による予洗濯を行った後、洗浄ドラム１１を１回正回転させて被洗物と洗濯水を次の本洗槽（本洗濯槽）（２）に移送する。
【００２３】
本図１では、槽（２）〜（５）は本洗槽として用いる場合を示しており、本洗槽（２）では、銀イオン水生成器３０に通電して新水供給管２０Ａから新水を銀イオン水として供給し、図示省略の洗剤供給装置から洗剤を供給し、下側の蒸気供給管２４から蒸気を供給して温度を上昇させ、洗濯ドラム１１を揺動させて本洗濯を行う。
蒸気による洗濯水の温度上昇は、洗濯効率を上げ、殺菌行うためには６０℃程度となる。所定の時間揺動処理が行われた後、前述の予洗の時と同様に洗濯ドラム１１を１回正回転させて被洗物を洗濯水と共に次の本洗槽（３）に移送する。
本洗槽（３）から（５）までの作用は同じで、前の槽から被洗物と共に移送されてきた洗濯水を使って揺動による洗濯が行われる。所定の時間揺動処理が行われた後、ドラム１１を１回正回転させて次の槽に移送する。なお、槽（１）から（５）までの間の移送は、前述したように仕切板１７の外周寄り設けた通路孔を通して洗濯ドラム１１の底部で行われ、槽（５）から槽（６）への移送はスクープによって被洗物を掬い上げて仕切板１７の中心部に設けた通路孔を通して行われる。
【００２４】
すすぎ槽（６）とすすぎ槽（７）は、外筒１４の下部に設けられ大径管１９で連通していて、槽（７）に供給されて槽（７）の被洗物をすすいだ新水は大径管１９を通り、槽（６）に流れて被洗物をすすぐ対向流式となっており、すすぎに用いられたすすぎ水はオーバーフロー管２６を通ってリサイクルタンク２１に貯留される。
仕上げ槽（８）では、新水供給管２０Ｂから銀イオン水生成器３０を通って銀イオン水となった新水で浸漬が行われ、必要に応じて図示省略の洗剤供給装置から柔軟剤、糊などの助剤が供給される。
すすぎドラム１２の１回の正回転によってそれぞれ次の槽に移送されるが、槽（８）の被洗物はスクープによって持ち上げられてすすぎドラム１２を離れて図示省略の脱水機に移送され、ここで絞り出された処理水は回収タンク２３に回収され、ポンプ２８によってリサイクルタンク２１に送られ浸し水の補充用水として用いられる。
【００２５】
洗濯工程においては、被洗物は銀イオン水に浸漬されているので、殺菌処理を受けている状態にある。その為、銀イオン水を使用しない場合に比べて１０〜２０℃低い洗浄温度、あるいは半分の塩素剤で同等の殺菌効果を得ることができ、熱や薬剤による、被洗物の色落ち、材質の早期劣化、汚れの化学的変化による洗濯性の低下、装置側の腐食の発生、薬剤臭による環境の悪化、などの防止が出来る。
【００２６】
すずき槽や仕上げ槽においては、被洗物に銀イオン水が添加されるので、被洗物に十分の銀イオンを残すことができる。その為、被洗物の銀イオンコーティングによる抗菌処理が可能となる。一般的な抗菌剤に比べて銀イオン水生成に必要なコストは低廉なので、ランニングコストを低減することが出来る。
【００２７】
銀イオン水を多く含む被洗物のすすぎ水や脱水機の絞り水には、少量の銀イオンが含まれる。これらが接触する部分は、常に殺菌、抗菌処理を受ける状態になる為、タンクやすすぎ槽、仕上げ槽等の加熱されない装置内外で雑菌によって生ずるヘドロの発生を防止することが出来る。
【００２８】
特に、バッチフロー式連続式水洗機では各槽の中の処理水が隣の槽と完全に隔離されている為、銀イオン水の供給濃度が異なる被洗物が隣り合う場合においても、銀イオン水を供給してから処理水を排出するまでの間は、銀イオン水の濃度が希釈されることなく、所定の濃度を維持することが可能となる。
（第２の実施の形態）
【００２９】
（構成）
本発明の第２の実施の形態を図２によって説明する。
図２はバッチフロー式連続式水洗機４０の模式図である。
バッチフロー式連続式水洗機４０は、同水洗機１０が新水供給管２０に備えている２個の銀イオン水生成器３０を有せず、代わりに銀イオン水供給装置４１を備えている点が異なっており、本体部は前述の第１の実施の形態とほぼ同様の構造なので、同じ部材には同じ番号を用いて説明を省略し、異なるところを説明する。
図２に於いて、４１は銀イオン水供給装置で、銀イオン水タンク４２、銀イオン水タンク４２から出て銀イオン水タンク４２に戻る循環配管４３、及び循環配管４３に配設された銀イオン水生成器３０、及び循環ポンプ４４で構成されている。
銀イオン水タンク４２は、適宜の大きさの容量、たとえばバッチフロー式連続式水洗機４０が１日に使用する銀イオン水を十分賄える量を貯留出来る容量を持ち、図示省略の水位計を備えていて所定の水位まで新水の供給を受け、この新水を銀イオン水生成器３０を通る循環配管４３を循環させ、所定の濃度の銀イオン水として貯溜しておくものである。
４５Ａ，４５Ｂは銀イオン水タンク４２の下側から計量シリンダ４７、開閉弁４６を介して本洗槽（２）、及び仕上げ槽（８）に繋がる銀イオン水供給管である。
【００３０】
バッチフロー式連続式水洗機４０の作用は、銀イオン水の供給方法を除きバッチフロー式連続式水洗機１０の場合と全く同様である。
バッチフロー式連続式水洗機４０では、本洗槽（２）及び仕上げ槽（８）には、銀イオン水供給装置４１から計量シリンダ４７、開閉弁４６を経て銀イオン水供給管４５Ａ，４５Ｂから銀イオン水を供給する。
銀イオン水タンク４２内の銀イオン濃度は、図示省略の銀イオン濃度計を用いて制御装置によって所定の濃度に維持されるので、供給先の本洗槽（２）及びすすぎ槽（８）内の処理水の水量が分かれば希望の濃度にするための銀イオン水の量が決まるので、これを計量シリンダ４７で計量して供給する。
【００３１】
銀イオン水の濃度管理がオンラインで実施可能となる為、被洗物の種類に応じたタイムリーな処理が可能となる。また、所定濃度の銀イオン水を予め生成し、貯留しておく為、銀イオン水の生成時間を連続式洗濯機の稼動状況に左右されずに長く取れるため、高価な銀イオン水生成器を小型化することができる。
（第３の実施の形態）
【００３２】
本発明の第３の実施の形態を図３によって説明する。
図３は本発明を適用したカウンターフロー式連続式水洗機５０の模式図である。
このカウンターフロー式連続式水洗機５０の構造はバッチフロー式連続式水洗機１０と類似しているので、類似した部材には同じ番号を流用して説明を省略し、主として異なるところを説明する。
バッチフロー式連続式水洗機１０と同様に、槽（１）〜（５）は洗濯ドラム１１、槽（６）〜（８）はすすぎドラム１２を形成し、それぞれ一体の回転ドラムとなっている。
図１の大径管１９と同じフロート式の逆止弁を備えた径の大きい配管は、槽（２）と槽（３）、槽（３）と（４）、槽（４）と槽（５）、及び槽（６）と槽（７）の間の外筒１３、及び外筒１４に設けられている。この大径管１９は、番号の大きい槽、例えば槽（３）から番号の小さい槽、例えば槽（２）の方向には流れることができるが、逆の方向には流れることが出来ないようになっている。（図中の矢印は流れの方向を示す）。  
５１はリサイクルタンク２１からポンプ２９を経て槽（５）に洗濯水を供給する洗濯水供給管で、この洗濯水供給管５１には、バッチフロー式連続式水洗機１０の場合と同じ銀イオン水生成器３０が配設されている。本洗槽（２）にはオーバーフロー管２６が設けられている。
【００３３】
上記構成のカウンターフロー式連続式水洗機５０の作用を説明する。
被洗物が投入口１５に投入されると、リサイクルタンク２１からポンプ２７によって浸し水供給管２２を経て浸し水が加えられて、被洗物は浸し水と共に洗濯ドラム１１の予洗槽（１）に滑り込み、所定時間の揺動処理を受けた後、洗濯ドラム１１の１回の正回転によって本洗槽（２）に移送される。槽（２）から槽（５）までの本洗槽では同様に所定の時間の揺動処理を受けた後、次ぎの隣の槽に送られて行く。一方洗濯水は、ポンプ２９によってリサイクルタンク２１から洗濯水供給管５１を経て槽（５）に供給されるが、途中通電された銀イオン水生成器３０によって銀イオンを添加され、銀イオン水となって供給される。洗濯水供給管５１から洗濯水の供給を受けた槽（５）内の水位は上昇し、投入口側（図の左側）の隣の槽（４）に対して水頭が生じ、この水頭によって大径管１９の逆止弁を開いて、槽（４）に流れてゆき、以下同様に投入口側の隣の槽に流れて行って、最後に槽（２）のオーバーフロー管２６から機外に排出される。
洗濯ドラム１１で洗濯処理を終えた被洗物はすすぎドラム１２に移送されるが、すすぎドラム１２のすすぎ処理の作用は、バッチフロー式連続式水洗機１０の場合と全く同様なので説明を省略する。
【００３４】
本洗槽への処理水供給において新水に代えてリサイクル水を使用することにより、節水効果がある。更には、各槽に配置する給排水弁等が少なくて済み、シンプルな構造となり少品種多量生産に適した連続式洗濯機を提供可能となる。
（第４の実施の形態）
【００３５】
本発明の第４の実施の形態を図４によって説明する。
図４は本発明を適用したカウンターフロー式連続式水洗機６０の模式図である。
カウンターフロー式連続式水洗機６０は、カウンターフロー式連続式水洗機５０が洗濯水供給管５１、及び新水供給管２０Ｂに夫々備えている銀イオン水生成器３０を有せず、代わりに銀イオン水供給装置４１を備えている点が異なっており、本体部は前述のカウンターフロー式連続式水洗機５０とほぼ同様の構造であり、銀イオン水供給装置４１は前述のバッチフロー式連続式水洗機４０に用いたものと同じである。
【００３６】
被洗物が投入口１５から投入され、ドラムの正回転によって順次移送されて排出口１６から排出され、この間に洗濯及びすすぎの処理を受ける作用は、全くカウンターフロー式連続式水洗機５０の場合と同様である。異なるのは、洗濯槽（５）への銀イオン水の供給を、カウンターフロー式連続式水洗機５０にあってはリサイクルタンク２１から洗濯水供給管５１を通って供給される洗濯水を銀イオン水生成器３０によって銀イオン水として供給し、カウンターフロー式連続式水洗機６０にあっては、洗濯水供給管５１に銀イオン水生成器３０を設けず、この洗濯水供給管５１と並列に銀イオン水供給装置４１から銀イオン水を供給している点である。
上記第２と第３の実施の形態夫々の効果を合わせて奏する効果を有する。
（第５の実施の形態）
【００３７】
本発明の第５の実施の形態を図５によって説明する。
図５は図２又は図４の連続式水洗機に適用した銀イオン水供給装置７１の模式図である。
連続式水洗機７０は、バッチフロー式連続式水洗機４０とカウンターフロー式連続式水洗機６０における銀イオン水供給装置４１とは銀イオン供給装置７１のみが異なっている。
７１は単独で纏まった銀イオン水供給装置で、適宜の大きさの銀イオン水タンク７２、銀イオン水タンク７２に浸漬された銀イオン生成器３０、及び銀イオン水タンク７２内に配置した攪拌機７３で構成されている。
銀イオン水タンク７２は、適宜の大きさの容量、たとえば連続式水洗機７０が１日に使用する銀イオン水を十分賄える量を貯溜出来る容量を持ち、図示省略の水位計を備えていて所定の水位まで新水の供給を受け、攪拌機７３で同タンク７２内の水を十分に攪拌しながら、銀イオン水生成器３０より銀イオンを生成し、所定の濃度の銀イオン水として貯留しておくものである。
【００３８】
連続式水洗機７０の作用は、銀イオン水の供給方法を除き水洗機４０や６０の場合と全く同様である。
連続式水洗機７０では、本洗槽及び仕上げ槽には、銀イオン水供給装置７１から計量シリンダ４７、開閉弁４６を経て銀イオン水供給管４５Ａ，４５Ｂから銀イオン水を供給する。
銀イオン水タンク７２内の銀イオン濃度は、図示省略の銀イオン濃度計を用いて制御装置によって所定の濃度に維持されるので、供給先の本洗槽及びすすぎ槽内の処理水の水量が分かれば希望の濃度にするための銀イオン水の量が決まるので、これを計量シリンダ４７で計量して供給する。
【００３９】
銀イオン水生成器３０と攪拌機７３を銀イオン水タンク７２内に浸漬したことにより、銀イオン水生成時に析出した銀化合物が銀イオン水タンク７２内に沈殿することを防ぎ、安定した濃度の銀イオン水の供給が可能となる。
（第６の実施の形態）
【００４０】
本発明の第６の実施の形態を図６によって説明する。
図６は本発明を適用した連続式水洗機８０模式図である。
連続式水洗機８０は、連続式水洗機７０が銀イオン水供給装置７１を有せず、代わりに銀イオン水供給装置８１を備えている点が異なっており、本体部は前述の水洗機７０とほぼ同様の構造である。
８１は単独で纏まった銀イオン水供給装置で、適宜の大きさの銀イオン水タンク８２、銀イオン水タンク８２への新水供給配管２０Ｃ中に接続された銀イオン水生成器３０とで構成されている。
銀イオン水タンク８２は、適宜の大きさの容量、たとえば連続式水洗機８０が１日に使用する銀イオン水を十分賄える量を貯留出来る容量を持ち、図示省略の水位計を備えていて所定の水位まで低流量で新水の供給を受ける。低流量で銀イオン水生成器３０を通過することにより所定の濃度の銀イオン水として貯留しておくものである。
【００４１】
連続式水洗機８０の作用は、銀イオン水の供給方法を除き連続式水洗機７０の場合と全く同様である。
連続式水洗機８０では、本洗槽及び仕上げ槽には、銀イオン水供給装置８１から計量シリンダ４７、開閉弁４６を経て銀イオン水供給管４５Ａ，４５Ｂから銀イオン水を供給する。
銀イオン水タンク８２内の銀イオン濃度は、図示省略の銀イオン濃度計を用いて制御装置によって所定の濃度に維持されるので、供給先の本洗槽及びすすぎ槽内の処理水の水量が分かれば希望の濃度にするための銀イオン水の量が決まるので、これを計量シリンダ４７で計量して供給する。
【００４２】
銀イオン水生成器３０を少流量で通過させることにより、連続式洗濯機の稼動中においても、銀イオン水タンク８２内の濃度を変化させること無く、高濃度の銀イオン水の仕込み（貯留）を行うことができる。
なお、以上の実施の形態において、銀イオン水生成器を通過した銀イオン水を洗濯ドラムとすすぎドラムの両方へ供給する場合を説明したが、洗濯ドラムのみ、またはすすぎドラムのみへ供給することができる。
【図面の簡単な説明】
【００４３】
【図１】本発明の第１の実施の形態に係るバッチフロー式連続式水洗機の模式図である。
【図２】本発明の第２の実施の形態に係るバッチフロー式連続式水洗機の模式図である
【図３】本発明の第３の実施の形態に係るカウンターフロー式連続式水洗機の模式図である
【図４】本発明の第４の実施の形態に係るカウンターフロー式連続式水洗機の模式図である
【図５】本発明の第５の実施の形態に係る連続式水洗機の模式図である
【図６】本発明の第６の実施の形態に係る連続式水洗機の模式図である
【符号の説明】
【００４４】
１０、４０  バッチフロー式連続水洗機
１１  洗濯ドラム
１２  すすぎドラム
１５  投入ロ
１６  排出口
１７  仕切板
２０Ａ，２０Ｂ，２０Ｃ  新水供給管
２５  排出管
２６  オーバーフロー管
３０  銀イオン水生成器
４１、７１，８１  銀イオン水供給装置
４２、７２、８２  銀イオン水タンク
４４  ポンプ
４７  計量シリンダ
５０、６０  カウンターフロー式連続水洗機
７０、８０  連続式水洗機
７３  攪拌機
【図１】
2007301258.tif 000003
【図２】
2007301258.tif 000004
【図３】
2007301258.tif 000005
【図４】
2007301258.tif 000006
【図５】
2007301258.tif 000007
【図６】
2007301258.tif 000008